(57)【要約】【課題】災害発生時などに使用される複数の工具を収納可能とし、且つ運搬対象を運ぶことを可能とする担架として使用することが可能な工具袋を提供することを課題とする。【解決手段】方形状の布の上面に複数の工具を収納する工具収納袋が形成された工具袋であって、両端を環状にした少なくとも２以上の帯を、前記工具袋の裏面、長手方向の辺の両端から突出するように固着した把持帯とを構成した。【選択図】図１
0003112568.tif 000002
【実用新案登録請求の範囲】
【請求項１】
方形状の布の上面に複数の工具を収納する工具収納袋が形成された工具袋であって、両端を環状にした少なくとも２以上の帯を、前記工具袋の裏面、長手方向の辺の両端から突出するように固着した把持帯とを備え、前記把持帯を複数人で把持することにより前記工具袋は運搬対象を運ぶ担架として使用することが可能としたことを特徴とした工具袋。
【請求項２】
請求項１において、前記工具袋の前記裏面中央部を、長手方向の一端が開口するよう布を二重化して形成したことを特徴とした工具袋。
【請求項３】
請求項１において、前記工具袋の裏面の一部分の布を二重化した保持部材を少なくとも２以上形成したことを特徴とした工具袋。
【考案の詳細な説明】
【技術分野】
【０００１】
本考案は、工具袋に関するものである。
【背景技術】
【０００２】
従来、実用新案登録３０５０８３８号公報「救助用工具類の収納袋」にあるように、災害発生時に、必要な救助用工具などをコンパクトに収納し、且つ、背負いベルトとウエストベルトを備えたリュックサック型にすることにより背負える収納袋があった。
【０００３】
また、災害発生時には、災害現場から負傷者を救出し担架等により安全な場所まで一旦運び出すなどの必要性がある。しかしながら、災害発生時に、担架として代用可能な物が容易に見つけ難いなどの問題があった。
【特許文献１】実用新案登録３０５０８３８号
【考案の開示】
【考案が解決しようとする課題】
【０００４】
そこで、本考案は、上記従来技術の問題点に斯かる実情に鑑みなされたもので、災害発生時などに使用される複数の工具を収納可能とし、且つ運搬対象を運ぶことを可能とする担架として使用することが可能な工具袋を提供することを課題とする。
【課題を解決するための手段】
【０００５】
請求項１に記載の考案は、方形状の布の上面に複数の工具を収納する工具収納袋が形成された工具袋であって、両端を環状にした少なくとも２以上の帯を、前記工具袋の裏面、長手方向の辺の両端から突出するように固着した把持帯とを備え、前記把持帯を複数人で把持することにより前記工具袋は運搬対象を運ぶ担架として使用することが可能としたことを特徴とする。
【０００６】
請求項２に記載の考案は、請求項１において、前記工具袋の前記裏面中央部を、長手方向の一端が開口するよう布を二重化して形成したことを特徴とする。
【０００７】
請求項３に記載の考案は、請求項１において、前記工具袋の裏面の一部分の布を二重化した保持部材を少なくとも２以上形成したことを特徴とする。
【考案の効果】
【０００８】
請求項１の考案によれば、方形状の布の上面に複数の工具を収納する工具収納袋が形成された工具袋であって、両端を環状にした少なくとも２以上の帯を、前記工具袋の裏面、短手長手方向の辺の両端から突出するように固着した把持帯とを備えることによって、災害発生時などに使用される複数の工具を収納可能とし、且つ該把持帯を複数人で把持することにより、運搬対象を運ぶことを可能とする担架として使用することが可能な工具袋を提供することができる。
【０００９】
請求項２の考案によれば、請求項１に記載の工具袋の前記裏面中央部を、長手方向の一端が開口するよう布を二重化して形成することによって、工具袋自体の強度が増すと共に、該二重化した裏面中央部に方形状の板などを差し込むことが可能となり、搬送対象を運ぶ際に、工具袋の弛みを無くすことができる。また、両端が環状に形成された把持帯に棒（例えば、物干し竿等）を挿入することによって担架の如く使用することが可能となる。
【００１０】
請求項３の考案によれば、請求項１に記載の工具袋の裏面の一部分の布を二重化した保持部材を少なくとも２以上形成することによって、工具袋自体の強度が増すと共に、該保持部材によって、方形状の板などを保持させると、搬送対象を運ぶ際に、工具袋の弛みを無くすことができる。また、両端が環状に形成された把持帯に棒を挿入することによって担架の如く使用することが可能となる。
【考案を実施するための最良の形態】
【００１１】
方形状の布の上面に複数の工具を収納する工具収納袋が形成された工具袋であって、両端を環状にした少なくとも２以上の帯を、前記工具袋の裏面、長手方向の辺の両端から突出するように固着した把持帯と構成した。
【００１２】
また、搬送時の工具袋の強度を増す為に、前記工具袋の前記裏面中央部を、長手方向の一端が開口するよう布を二重化して形成する。また、前記工具袋の裏面の一部分の布を二重化した保持部材を少なくとも２以上形成することにより、工具袋の強度を増すようしにてもよい。
【実施例】
【００１３】
以下、図面を参照して本考案に係る工具袋の一実施例を詳細に説明する。図１及び図２を用いて、実施例の工具袋の説明を行う。図１は、工具袋の表面を示す図であり、図２は、工具袋の裏面を示す図である。
【００１４】
工具袋１０は、実施例では、縦６４０ｍｍ×横１２００ｍｍの方形状の布となっている。工具袋１０を形成する素材は厚手の木綿地や帆布となっており、非常に丈夫な素材を使用している。工具袋１０の大きさは、担架として使用することから、縦方向の長さは６００ｍｍ〜９００ｍｍ、横方向の長さは１２００ｍｍ〜１８００ｍｍが望ましい。
【００１５】
工具袋１０の表面には、工具を収納可能な工具収納袋１２が複数形成されており、該各工具収納袋１２に対応した工具を固定するために工具係止バンド３４が各工具収納袋１２の近傍に固着されている。工具係止バンド３４は、帯状に形成され、工具係止バンド３４の中央付近は、工具袋１０に縫い付けられ固着している。工具係止バンド３４の両端は、面ファスナーのループ面とフック面となっており、該面ファスナーのループ面とフック面を接続することによって、工具を巻着することが可能となる。
【００１６】
工具袋１０の表面に各々工具収納袋１２を形成しても構わないが、実施例の工具収納袋１２は、工具袋１０の長手方向の両端のそれぞれに工具袋１０を形成する布と同じ素材で形成された方形状の布が縫い付けられ内側方向に開口を有する工具収納袋１２が形成されている。また、この工具収納袋１２は、収納される工具に応じた大きさとなるように、分割し縫い付けられている。そして工具袋１０の表面の長手方向の一方の辺の中央にも同様に、工具袋１０の内側方向に開口を有する予備工具収納袋１２’が形成されている。
【００１７】
次に工具袋１０の中央で長手方向の向きに収納される棒状のカナテコ１６を収納可能とするように、工具袋１０の長手方向の両端に形成された工具収納袋１２の片側中央部分が展開可能な方形状のカナテコ保持部材５４が形成されている。カナテコ保持部材５４の上面には面ファスナー５８が形成され、工具袋１０にカナテコ１６を収納しカナテコ保持部材５４を折り畳むことでカナテコ１６の所望する長尺で容易に保持することが可能となる。
【００１８】
ジャッキ収納袋５２は、一つの側面が開口した立方体形状に形成された袋で、ジャッキ収納袋５２の底面には、面ファスナー５８のループ面若しくはフック面が形成されている。また工具袋１０の中央付近には、ジャッキ収納袋５２を固着する為の面ファスナー５８が形成されている。
【００１９】
また、工具袋１０の表面の長手方向の辺に折り畳み用面ファスナー５６が形成されている。該折り畳み用面ファスナー５６に対応する面ファスナーは、工具袋１０の裏面に中央付近に形成されており、工具袋１０を折り畳む際に該折り畳み用面ファスナー５６同士を接続することによって工具袋１０を折り畳むことが可能となる。
【００２０】
工具袋１０の裏面には、帯の両端を環状にした把持部３８を有する把持帯３６は、長手方向の辺の両端近傍から把持部３８が突出するように固着し形成されている。帯の両端を環状にした把持部３８は、大人の手が挿入可能な程度の円環となっている。実施例では、把持帯３６は、短手方向に対して平行に縫い付けられ、固着されているが、筋交い状に把持帯３６を固着するようにしてもよい。この把持部３８を把持することによって、工具袋１０の上面に物や人などを乗せて搬送することが可能となる。
【００２１】
また、工具袋１０の裏面には、工具袋１０を折り畳んだ際に巻き締める為の折り畳みベルト４４が、把持帯３６と平行且つその近傍に、折り畳みベルト４４の一部が縫い付けられている。折り畳みベルト４４の両端には、連結部材凸部４６と連結部材凹部４８が固着されており、該連結部材凸部４６と連結部材凹部４８を接続することによって、工具袋１０を巻き締めることが可能となる。また、工具袋１０の裏面には、工具袋１０自体を容易に搬送するために、人の肩に掛けて運ぶ肩掛けベルト４０が固着されている。この肩掛けベルト４０の中央には、肩当てパッド４２が取り付けられており、該肩掛けベルト４０上を摺動可能となっている。
【００２２】
また、工具袋１０の裏面中央部の布を二重化し、長手方向の一端が開口するように形成されている。この開口の内側に、図示しないが面ファスナーのループ面及びフック面がそれぞれ対向する面に固着され、二重化した開口を閉じることが可能である。また、この開口から方形状の板などを差し込むことによって、工具袋１０自体の強度が増し、工具袋１０の上面に重い搬送対象を乗せた場合において、安定した状態で、搬送することが可能となる。尚、実施例で幅２００ｍｍ厚さ１５ｍｍ程度の合板を二重化した袋状部分に挿入している。
【００２３】
図３は、工具袋１０に、工具を収納した状態を示す図である。収納される工具は、対応する工具袋１０に近傍に固着されている工具係止バンド３４によって、係止される。この工具袋１０の内に収納される工具の説明を行う。収納される工具は１０種類の工具からなり、カナテコ１６、倍力スーパーソー１８、替刃式折込鋸２０、アルミボルトクリッパー２２、グレーチング上げ３０、鉈２４、ハンマー２６、ロープ２８、ジャッキ、軍手、方形状の板が収納され、災害時に有効な工具を収納可能となっている。尚、特定の工具を入れていない予備工具収納袋１２’も表面に取り付けている。
【００２４】
カナテコ１６は、棒状に形成されている。カナテコ１６は、挺子の原理で、重い荷物や障害物を動かす時に使用できる。また家屋等が倒壊して人命救助や家財道具を探す時などにも使用できる。実施例のカナテコ１６は、内部が空洞に形成され、従来のカナテコに比べ２〜５Ｋｇ程軽く形成されている。
【００２５】
倍力スーパーソー１８は、１／２の力で作業できる金鋸であり、現在の建物に多く使用されている軟鉄・真鍮・鉛管・アルミ・銅・木材・軽量気泡コンクリート・石膏ボード板など切断できる。
【００２６】
替刃式折込鋸２０は、木材専用の鋸であり、石膏ボードの壁を切断した部分に鋸の刃先を突き刺し切断する時に使用できる。また、刃の角度を３段階に切替が出来る。また実施例の替刃式折込鋸２０の刃は、特殊加工を施しており、錆び難く、刃先に衝撃焼入を施されており、長切れが可能である。
【００２７】
アルミボルトクリッパー２２は、アルミ柄で軽く形成され、鉄などの障害物の切断に使用できる。鉄線は、５ｍｍまでの切断ができる。また、刃先の隙間をボルトで調整ができ長時間使用できる。
【００２８】
グレーチング上げ３０は、グレーチングを持ち上げる時に使用できる。また、荷物を引き上げる時に手の延長としても使用できる。鉈２４は、災害時、木材の障害物除去に使用できる。ハンマー２６は、片側が尖った形に形成され、ガラスを粉砕する時に使用できる。ロープ２８は、８ｍｍ幅ｘ１０ｍである。軍手は、滑り止め付きに軍手である。
【００２９】
ジャッキは、図示しないがジャッキ収納袋５２の中に収納されている。ジャッキは、最大の揚程２０ｍｍまでの昇降可能で、能力は５トン、最低高さ５５ｍｍからジャッキアップできる。また、方形状の板は、図示しないが２００ｍｍ×１２００ｍｍ×１５ｍｍ程度の合板で、工具袋１０の裏面中央部の布を二重化し、長手方向の一端が開口から差し込むことによって収納されるようになっている。この方形状の板は、ジャッキ使用時や、緊急時の足場、渡し板として使用することも可能である。
【００３０】
このように災害時に有効な工具をいくつか示したが、これらの工具以外にも様々な工具を収納することが可能である。工具袋１０内に収納される工具は、可能な限り軽量で、コンパクトな工具を収納することが望ましい。
【００３１】
図４は、工具袋１０の折り畳みを示す図である。工具袋１０の短手方向の約１／３から折り返すと、図４（Ａ）に示す図の状態になる。図４（Ａ）に示すように工具袋１０の裏面の中央付近に固着された折り畳み用面ファスナー５６が現れるようになる。図４（Ａ）の状態から、更に１／３折り返しを行い、図４（Ｂ）に示すように、工具袋１０の上面に形成された折り畳み用面ファスナー５６と裏面に形成された折り畳み用面ファスナー５６同士を接続させる。その後、図４（Ｃ）に示すように、折り畳みベルト４４の連結部材凸部４６と連結部材凹部４８を各々接続し、工具袋１０が展開しないように巻き締めることが可能である。このように工具袋１０を約１／３の大きさに小さく折り畳むことにより、工具袋１０自体を搬送しやすくすることができる。また、肩掛けベルト４０を使用して肩に掛けて運ぶことも可能である。
【００３２】
また、図４（Ｃ）に示すように、工具袋１０は、把持部３８の一部が突出した状態で約１／３の大きさに折り畳まれる為に、突出した把持部３８を２人で把持して運ぶことも可能であり、例えば非力な女性や子供であっても、工具袋１０を２人で運ぶことが可能となる。
【００３３】
次に図５は、工具袋１０を担架として使用する場合の例である。図５に示す図は、工具袋１０の短手方向の両端から突出し、帯の両端を環状に形成された把持帯３６の両端である把持部３８を４人が各々把持し、搬送対象を搬送している例である。実施例では、４人が各々把持して搬送した例であるが、工具袋１０の前後に１人ずつ配し、２人で搬送するようにしてもよい。
【００３４】
また、工具袋１０の短手方向の両端から突出し、帯の両端を環状に形成された把持帯３６の両端である把持部３８に、工具袋１０の長手方向の長さより長い棒（例えば、物干し竿等）を挿入すると共に、工具袋１０の裏面に方形状の板を差し込みし、方形状の板を保持するようにすると、担架の如く使用することが可能となる。また工具袋１０自体の強度を増すことが可能となる。
【００３５】
また、実施例では、工具袋１０の裏面の中央部の布を二重化し、二重化した中央部に方形状の板を差し込むことによって保持するようにしたものであるが、別の実施例として、図６に示すように、工具袋１０の長手方向の両端である把持帯３６付近に、上述した方形状の板を保持する為のベルト若しくは方形状の布で形成された保持部材５０を、工具袋１０の長手方向の辺である両辺が開口するように縫い付けるようにしても構わない。このように形成することによっても、方形状の板を保持することが可能となる。
【００３６】
また、実施例の工具袋１０の上面には、工具袋１０の長手方向の両端のそれぞれに工具袋１０を形成する布と同じ素材で形成された工具袋１０の縦方向の長さに合わせた長さの方形状の布が所要箇所で縫い付けられ、内側方向に開口を有する複数の工具収納袋１２を形成しているが、この方形状の布を縫い付けずに面ファスナーなどで固着するようして複数の工具収納袋１２を区割形成すると共に、この方形状の布に把持帯３６を予め固着させことによって、図７に示すように、工具袋１０と方形状の布を固着する面ファスナーの接続を外して展開すると、工具袋１０の長さを長くすることを可能とすることもある。このことにより、例えば背の高い人間や、長さの長い物品を搬送することができ、搬送対象の大きさ応じて工具袋１０の大きさを変化させることが可能である。更に、工具収納袋１２を縦方向に並べて設けるに際して、長手方向の端部に形成する場合に限ることなく、工具袋１０の横方向長さを１８００ｍｍ程度とし、長手方向端部から内側の位置に縦方向に工具収納袋１２を並べ、保管移送時は、長手方向の両端を工具の長さに合わせて内側に折り込んで図４に示したように３つ折りすることもある。
【００３７】
以上説明したように構成することにより、災害発生時などに使用される複数の工具を収納可能とし、且つ運搬対象を運ぶことを可能とする担架として使用することが可能な工具袋を提供することができる。また、好ましい実施例を挙げて本考案を説明したが、本考案はその実施例に限定されるものではなく、本考案の要旨の範囲内で種々に改変できる。
【図面の簡単な説明】
【００３８】
【図１】本考案の一実施例である工具袋の上面を示す図である。
【図２】本考案の一実施例である工具袋の裏面を示す図である。
【図３】本考案の一実施例である工具袋に工具を収納した状態を示す図である。
【図４】本考案の一実施例である工具袋を折り畳みする過程を示す図である。
【図５】本考案の一実施例である工具袋を担架として使用している状態を示す図である。
【図６】本考案の一実施例である工具袋の裏面を示す図である。
【図７】本考案の一実施例である工具袋の上面を示す図である。
【符号の説明】
【００３９】
１０  工具袋
１２  工具収納袋
１２’予備工具収納袋
１６  カナテコ
１８  倍力スーパーソー
２０  替刃式折込鋸
２２  アルミボルトクリッパー
２４  鉈
２６  ハンマー
２８  ロープ
３０  グレーチング上げ
３４  工具係止バンド
３６  把持帯
３８  把持部
４０  肩掛けベルト
４２  肩当てパッド
４４  折り畳みベルト
４６  連結部材凸部
４８  連結部材凹部
５０  保持部材
５２  ジャッキ収納袋
５４  カナテコ保持部材
５６  折り畳み用面ファスナー
５８  面ファスナー
【図１】
0003112568.tif 000003
【図２】
0003112568.tif 000004
【図３】
0003112568.tif 000005
【図４】
0003112568.tif 000006
【図５】
0003112568.tif 000007
【図６】
0003112568.tif 000008
【図７】
0003112568.tif 000009